(57)【特許請求の範囲】
【請求項１】
（Ａ）少なくとも1つの電子供与体有機色素化合物、
（Ｂ）少なくとも1つの電子受容体化合物、及び
（Ｃ）次の式（I）で表される少なくとも1つの化合物：
0006986566.tif 000014
ここで：
R1はH又はフェニル基を表し、
R2はH又はフェニル基を表し、
n = 1-8
を含む熱変色性顔料組成物。
【請求項２】
化合物（Ｃ）が以下の式（Ｉａ）
0006986566.tif 000015
ここで-n = 1-8
で表される、請求項１に記載の熱変色性顔料組成物。
【請求項３】
化合物（Ｃ）が以下の式（Ｉｂ）
0006986566.tif 000016
ここで-n = 1-8
で表される、請求項１に記載の熱変色性顔料組成物。
【請求項４】
化合物（Ａ）が３-（４-ジエチルアミノ-２-エトキシフェニル）-３-（１-エチル-２-メチルインドール-３-イル）-４-アザフタリド（青色63、CAS番号：69898-40-4）、2 '-（ジベンジルアミノ）-6'-（ジエチルアミノ）フルオラン（CAS番号：34372-72-0）、N、N-ジメチル-4- [ 2- [2-（オクチルオキシ）フェニル] -6-フェニル-4-ピリジニル]ベンゼンアミン（黄色CK37、CAS番号：144190-25-0）、7-（4-ジエチルアミノ-2-ヘキシルオキシフェニル）-7-（ 1-エチル-2-メチル-1H-インドール-3-イル）-7H-フロ[3,4-b]ピリジン-5-オン（青色203、CAS番号：98660-18-5）、2-( 2,4-ジメチルフェニルアミノ）-3-メチル-6-ジエチルアミノフルオラン（黒色15、CAS番号：36431-22-8）及び3,3,-ビス-（1-ブチル-2-メチル-インドール-3-イル）-3H-イソベンゾフラン-1-オン（赤色40、CAS番号：50292-91-6）から選択される、請求項１〜３のいずれか一項に記載の組成物 。
【請求項５】
化合物（Ｂ）が、２，２-ビス（４-ヒドロキシ-３-メチルフェニル）プロパン（ビスフェノールＣ、ＣＡＳ番号：79-97-0）、4-ヘキシル-1,3-ジヒドロキシベンゼン（4-ヘキシルレゾルシノール、CAS番号：136-77-6）、4,4'-シクロヘキシリデンビスフェノール（BPZ、CAS番号：843-55-0）、4,4 '-（ ヘキサフルオロイソプロピリデン）ジフェノール（ビスフェノールAF、CAS番号：1478-61-1）、4,4 '-（1-フェニルエチリデン）ビスフェノール（CAS番号：1571-75-1）、2,2'-ジヒドロキシビフェニル（CAS番号 ：1806-29-7）、4,4 '-（1,4-フェニレンジイソプロピリデン）ビスフェノール（CAS 番号: 2167-51-3）、1,1-ビス（4-ヒドロキシ-3-メチルフェニル）シクロヘキサン（ CAS番号：2362-14-3）、9,9-ビス（4-ヒドロキシフェニル）フッ素（CAS番号：3236-71-3）、4,4 '-（1,3-フェニレンジイソプロピリデン）ビスフェノール（CAS番号 ：13595-25-0）、1,1,1-トリス（4-ヒドロキシフェニル）エタン（CAS番号: 27955-94-8）、4,4 '-（2-エチルヘキシリデン）ジフェノール（CAS番号: 74462-02-5）、およびα、α、α'-トリス（4-ヒドロキシフェニル）-1-エチル-4-イソプロピルベンゼン（CAS番号: 110726-28-8）から選択される、請求項１〜４のいずれか一項に記載の組成物。
【請求項６】
請求項１〜５のいずれか一項に記載の組成物を含む熱変色性顔料マイクロカプセル。
【請求項７】
請求項６に記載の熱変色性顔料マイクロカプセルを含むインク組成物。
【請求項８】
請求項７に記載のインク組成物を含む筆記具。
【請求項９】
摩擦消去可能なインクペンから選択される請求項８に記載の筆記具。
【発明の詳細な説明】
【技術分野】
【０００１】
本発明は、反応展色剤として特定の化合物を含む熱色変性顔料組成物に関する。本発明はまた、そのような熱色変性顔料組成物を含む熱色変性顔料マイクロカプセル、そのような熱色変性顔料マイクロカプセルを含むインク組成物、及び最後にそのようなインク組成物を含む筆記用具に関する。
【背景技術】
【０００２】
熱変色性顔料組成物は、温度変化に関連した可逆的な漂白特性を示す。これらの組成物は、インクマーキングに繰り返し消去が必要な場合に使用される。
【０００３】
インクの熱変色性効果は、以下の3つの化合物の結合により機能する。
（A）少なくとも1つの電子供与体有機色素またはロイコ色素化合物、
（B）少なくとも1つの電子受容体又は顕色剤化合物、及び
（C）化合物（A）及び（B）又は温度変化調節剤に起因する可逆的な電子受容/供与反応を引き起こすことができる、反応展色剤として機能する少なくとも1つの化合物。
【発明の概要】
【０００４】
温度変化は可逆的にインクの着色又は脱色を引き起こす。従って、温度が上昇するとインクが消去され、冷却すると外観が変化する。
【図面の簡単な説明】
【０００５】
【図１】これらの変化は、図1の図式に従う。この図式では、インクの初期の色消失温度はT3、インクの色が完全に消失したT4、TGはT3とT4の間の中間温度である。逆に、インクの初期色再現温度はT1で、THはT1とT2の間の温度である。（TH）と（TG）の間の範囲は、色変化ヒステリシス範囲（ΔH）と呼ばれる。
【０００６】
驚くべきことに、発明者らは、熱色変性顔料組成物の反応展色剤として使用できる特定の化合物を発見した。前記組成物は、これらの化合物の脱色温度と再着色温度にそれぞれ対応する最適な融解温度と結晶化温度範囲を示す熱色変性顔料マイクロカプセルの調製を可能にする。従って、本発明の化合物は、熱色変性インクの温度変化調節剤として使用される多くの利点を示し、顕著なヒステリシス特性と、着色状態と脱色状態との間の非常に高い色コントラストを有する。
【０００７】
第一実施形態によれば、本発明の技術目的は、以下を含む熱色変性顔料組成物を提供することである。
（A）少なくとも1つの電子供与体有機色素化合物、
（B）少なくとも1つの電子受容体化合物、及び
（C）次の式（I）で表される少なくとも1つの化合物
【０００８】
【化１】
0006986566.tif 000002
【０００９】
ここで：
-R1はH又はフェニル基を表し、
-R2はH又はフェニル基を表し、
-n = 1-8。
【００１０】
上記の式（I）において、nは、1、2、3、4、5、6、7又は8の整数の中から独立して選択されてもよい。
【００１１】
有利には、上記式（I）において、R1及びR2は同一である。
【００１２】
好ましい第一実施形態によれば、本発明の化合物（Ｃ）は、以下の式（Ｉａ）で表される。
【００１３】
【化２】
0006986566.tif 000003
【００１４】
ここで、n = 1-8。
【００１５】
好ましい第二実施形態によれば、本発明の化合物（Ｃ）は、以下の式（Ｉｂ）に対応する。
【００１６】
【化３】
0006986566.tif 000004
【００１７】
ここで、n = 1-8である。
【００１８】
本発明の式（Ｉ）の化合物は、２つの異なる合成経路を使用して合成することができる。
【００１９】
最初の合成ルートは、次の反応図に対応する（R1 = R2の場合）。
【００２０】
【化４】
0006986566.tif 000005
【００２１】
この最初の合成ルートでは、アルコールの融点は60℃未満であり、溶媒の役割を果たす。それは過剰に使用され、好ましくは1.5 / 1〜3/1、さらにより好ましくは2/1のアルコール/カルボン酸比で使用される。アルコールとカルボン酸の混合物は、触媒の存在下で、酸が完全に消費されるまで減圧下、好ましくは200〜800 mbarで、120〜200℃、好ましくは140〜160℃の温度に加熱される。触媒は、パラトルエンソルフォン酸などの水溶性酸であることが好ましい。次いで、得られた式（Ｉ）の化合物は再結晶により精製される。
【００２２】
2番目の合成ルートは、次の反応スキームで表される（R1 = R2の場合）。
【００２３】
【化５】
0006986566.tif 000006
【００２４】
この2番目の合成ルートでは、アルコールはテトラヒドロフラン（THF）などの非プロトン性極性溶媒中の触媒で可溶化される。触媒は、好ましくはトリエチルアミンのような揮発性塩基である。混合物は、-20〜20℃、優先的には0〜10℃の温度に保たれる。混合物は、氷浴又はアセトン又はエタノールなどの溶媒に浸した固体CO2浴で低温に保たれる。混合物は、有利には窒素を添加することにより不活性に保たれる。次いで、酸塩化物をゆっくりと、好ましくは液滴で、15〜60分の範囲、好ましくは30分かけて加える。 使用されるアルコール／酸塩化物の比率は、好ましくは１．１ ／ １から１ ／ １．１、更により好ましくは１／１である。次に、温度を室温（25℃）に上げ、混合物を攪拌しながらこの温度で1〜3時間、好ましくは2時間保持する。次いで、得られた式（Ｉ）の化合物を再結晶により精製する。
【００２５】
本発明の式（Ｉ）の化合物は、好ましくは以下の化合物から選択される。
【００２６】
【化６】
0006986566.tif 000007
【００２７】
【化７】
0006986566.tif 000008
【００２８】
本発明の式（Ｉ）の化合物の融解温度は、２０〜８０℃、好ましくは３０〜８０℃、更により好ましくは４０〜７０℃で変動し得る。この最適な融合温度において、本発明の式（Ｉ）の化合物を熱変色性顔料組成物における温度変化調節剤として使用するのに必要な特性を示す理想的な化合物となる。
【００２９】
本発明の熱変色性顔料組成物において、化合物（Ａ）、（Ｂ）及び（Ｃ）の重量比は、これらの化合物のそれぞれの性質および濃度に基づいて変化する。
【００３０】
電子供与体有機色素化合物（Ａ）の重量比は、熱変色性顔料組成物の総重量に対して1〜10重量％、好ましくは1〜6重量％、更により好ましくは2〜4重量％で変化し得る。
【００３１】
電子受容体化合物（Ｂ）の重量比は、熱変色性顔料組成物の総重量に対して、重量で１〜２０％、好ましくは１〜１４％、更により好ましくは４〜１０％まで変動し得る。
【００３２】
反応媒体の役割を果たす式（Ｉ）の化合物（Ｃ）の重量比は、熱変色性顔料組成物の総重量に関して、７０〜９８重量％、好ましくは８０〜９８重量％、更により好ましくは８６〜９４重量％まで変動し得る。
【００３３】
従って、本発明の熱変色性顔料組成物は以下を含むことができる：
（Ａ）少なくとも1つの電子供与体有機色素化合物の重量で1〜10％、好ましくは1〜6％、更により好ましくは2〜4％。
（Ｂ）少なくとも1つの電子受容体化合物の1〜20重量％、好ましくは1〜14重量％、更により好ましくは4〜10重量％、及び
（Ｃ）式（Ｉ）で表される少なくとも１つの化合物の７０〜９８重量％、好ましくは８０〜９８重量％、更により好ましくは８６〜９４重量％。
【００３４】
好ましい実施形態によれば、本発明の熱変色性顔料組成物は以下を含む：
（Ａ）2〜4重量％の少なくとも1つの電子供与体有機色素化合物、
（Ｂ）4〜10重量％の少なくとも1つの電子受容体化合物、及び
（Ｃ）式（I）で表される少なくとも1つの化合物86〜94重量％。
【００３５】
有利には、本発明の熱変色性顔料組成物は、カプセル化後に20〜80℃、好ましくは30〜80℃、更により好ましくは40〜70℃の範囲の色変化ヒステリシス範囲（ΔH）を示す。
【００３６】
電子供与体有機色素化合物（A）として、非限定的なリストには、ジフェニルメタンフタリド、フェニルインドリルフタリド、インドリルフタリド、ジフェニルメタンアザフタリド、フェニルインドリルアザフタリド、フルオラン、スチリルキノリンおよびジアザロダミンラクトンなどの古典的に知られている化合物が含まれ、これらの化合物の例は以下に示される。
【００３７】
したがって、電子供与体有機色素化合物（A）は、以下の中から選択され得る：3-（4-ジエチルアミノ-2-エトキシフェニル）-3-（1-エチル-2-メチルインドール-3-イル）-4-アザフタリド（青色63 、CAS番号：69898-40-4）、3,3-ビス（p-ジメチルアミノフェニル）-6-ジメチルアミノフタレート（CAS番号：1552-42-7）、2'-クロロ-6 '-（ジエチルアミノ）- 3'-メチルフルオラン（CAS番号：21121-62-0）、6 '-（ジエチルアミノ）-1'、3'-ジメチルフルオラン（CAS番号：21934-68-9）、6 '-（ジエチルアミノ）-1 '、3'-ジメチルフルオラン（CAS番号: 21934-68-9）、2-クロロ-6-（ジメチルアミノ）フルオラン（CAS番号: 26567-23-7）、3-ジエチルアミノベンゾフルオラン（CAS番号: 26628- 47-7）、3 '、6'-ビス（ジエチルアミノ）-2-（4-ニトロフェニル）スピロ[イソインドール-1,9'-キサンテン] -3-オン（CAS番号：29199-09-5）、 2-フェニルアミノ-3-メチル-6-ジエチルアミノフルオラン（CAS番号：29512-49-0）、2 '-（ジベンジルアミノ）-6'-（ジエチルアミノ）フッ素（CAS番号：34372-72-0）、2 -（2,4-ジメチルフェニルアミノ）-3-メチル-6-ジエチルアミノフルオラン（ブラック15、CAS番号：36431-22-8）、3-（1,2-ジメチル-3-インドリル）-3- [4- （ジエチルアミノ）-2-メチルフェニル]フタリド（CAS番号36499-49-7）、3 '、6'-ジメトキシフルオラン（CAS番号：36886-76-7）、3,3-ビス-（1-ブチル-2-メチル-インドール-3-イル）-3H-イソベンゾフラン-1-オン（赤40、CAS番号：50292-91-6）、3,3-ビス-（2-メチル-1-オクチル-1H-インドール-3-イル）-3H-イソベンゾフラン-1-オン（CAS番号: 50292-95-0）、2'-アニリノ-6 '-[エチル（p-トリル）アミノ] -3'-メチルスピロ[イソベンゾフラン-1（3H）、9'- [9H]キサンテン] -3-オン（CAS番号: 59129-79-2）、3-（4-ジエチルアミノ-2-エトキシフェニル）-3-（1-エチル-2-メチルインドール-3-イル）-4 -アザフタリド（CAS番号：69898-40-0）、3-（N-エチル-n-イソペンチルアミノ）-6-メチル-7-アニリノフッ素（CAS番号：70516-41-5）、3- [4 -（ジエチルアミノ）フェニル] -3-（1-エチル-2-メチル-1H-インドール-3-イル）フタリド（CAS番号：75805-17-3）、2 '-（2-クロロアニリノ）-6' -（ジブチルアミノ）フッ素（CAS番号: 82137-81-3）、2-フェニルアミノ-3-メチル-6-ジブチルアミノフルオラン（CAS番号: 89331-94-2）、3-（1-ブチル-2-メチル-1H-インドール-3-イル）-6-（ジメチルアミノ）-3- [4-（ジメチルアミノ）フェニル] -3-1（3H）-イソベンゾフラノン（CAS番号：92453-31-1）、7-（ 4-ジエチルアミノ-2-ヘキシルオキシフェニル）-7-（1-エチル-2-メチル-1H-インドール-3-イル）-7H-フロ[3,4-b]ピリジン-5-オン（青色203、CAS no .: 98660-18-5）、7,7-ビス[4-（ジエチルアミノ）-2-エトキシフェニル]フロ[3,4- b]ピリジン-5-オン（CAS番号: 132467-74-4）、N、N-ジメチル-4- [2- [2-（オクチルオキシ）フェニル] -6-フェニル-4-ピリジニル]ベンゼンアミン（黄色CK37、CAS番号: 144190-25-0）、3-（2,2-ビス（1-エチル-2-メチルインドール-3-イル）ビニル）-3-（4-ジエチルアミノフェニル）-フタリド（CAS番号：148716-90-9）。
【００３８】
好ましくは、電子供与体有機色素化合物（A）は、以下から選択され得る：3-（4-ジエチルアミノ-2-エトキシフェニル）-3-（1-エチル-2-メチルインドール-3-イル）-4-アザフタリド（青色63 、CAS番号：69898-40-4）、2 '-（ジベンジルアミノ）-6'-（ジエチルアミノ）フルオラン（CAS番号：34372-72-0）、N、N-ジメチル-4- [2- [ 2-（オクチルオキシ）フェニル] -6-フェニル-4-ピリジニル]ベンゼンアミン（黄色CK37、CAS番号：144190-25-0）、7-（4-ジエチルアミノ-2-ヘキシルオキシフェニル）-7-（1-エチル -2-メチル-1H-インドール-3-イル）-7H-フロ[3,4-b]ピリジン-5-オン（青色203、CAS番号：98660-18-5）、2-（2,4 -ジメチルフェニルアミノ）-3-メチル-6-ジエチルアミノフルオラン（黒色15、CAS番号：36431-22-8）及び3,3、-ビス-（1-ブチル-2-メチル-インドール-3-イル）-3H -イソベンゾフラン-1-オン（赤40、CAS番号：50292-91-6）。
【００３９】
電子受容体化合物（B）として、非限定的なリストには、フェノール性ヒドロキシル基（モノフェノール又はポリフェノール）を有する化合物などの活性プロトンを有する化合物、アルキル基、アリール基、アシル基、アルコキシカルボニル基、カルボキシ基、これらのエステル、アミド基又はハロゲン原子などの置換基を有するそれらの誘導体、及びビスフェノール又はトリスフェノールなどの縮合フェノール-アルデヒド樹脂が含まれ得る。
【００４０】
以下の定義は、本発明の意味において提供される。
【００４１】
-アルキル：C1-C20、好ましくはC1-C12、より優先的にはC1-C6、さらにより優先的にはC1-C4の直鎖または分岐した飽和脂肪族炭化水素基。 「分岐」という用語は、メチル又はエチルなどの少なくとも1つの低級アルキル基が直鎖アルキル鎖によって運ばれることを意味する。アルキル基の例として、例えば、メチル、エチル、n-プロピル、l-プロピル、n-ブチル、t-ブチル及びn-ペンチル基を挙げることができる。
【００４２】
-アリール：少なくとも1つの芳香族環に由来する官能基又は置換基。 芳香族環は、環の各原子がp軌道を含む非局在化π系を含む任意の平らな単環式又は多環式グループに対応する。そのようなアリール基のうち、フェニル、ビフェニル、ナフタレン及びアントラセン基を挙げることができる。本発明のアリール基は、好ましくは４〜１２個の炭素原子、さらにより好ましくは５〜６個の炭素原子を含む。更により好ましくは、本発明のアリール基はフェニル基である。
【００４３】
従って、電子受容体化合物（B）は、以下から選択され得る：2,2-ビス（4-ヒドロキシ-3-メチルフェニル）プロパン（ビスフェノールC、CAS番号：79-97-0）、4-ヘキシル- 1,3-ジヒドロキシベンゼン（4-ヘキシルレゾルシノール、CAS番号：136-77-6）、4,4'-シクロヘキシリデンビスフェノール（BZP、CAS番号：843-55-0）、4,4 '-（ヘキサフルオロイソプロピリデン）ジフェノール（ビスフェノールAF、CAS番号：1478-61-1）、4,4 '-（1-フェニルエチリデン）ビスフェノール（CAS番号：1571-75-1）、2,2'-ジヒドロキシビフェニル（CAS番号：1806 -29-7）、4,4'-エチリデンビスフェノール（CAS 番号： 2081-08-5）、4,4 '-（1,4-フェニレンジイソプロピリデン）ビスフェノール（CAS 番号: 2167-51-3）、1 、1-ビス（4-ヒドロキシ-3-メチルフェニル）シクロヘキサン（CAS番号：2362-14-3）、9,9-ビス（4-ヒドロキシフェニル）フッ素（CAS番号：3236-71-3）、4 、4 '-（1,3-フェニレンジイソプロピリデン）ビスフェノール（CAS no .: 13595-25-0）、1,1,1-トリス（4-ヒドロキシフェニル）エタン（CAS 番号: 27955-94-8）、4 、4 '-（2-エチルヘキシリデン）ジフェノール（CAS 番号: 74462-02-5）、α、α、α'-トリス（4-ヒドロキシフェニル）-1-エチル-4-イソプロピルベンゼン（CAS 番号: 110726- 28-8）、4-（1,1,3,3-テトラメチルブチル）フェノl（CAS番号：140-66-9）、4-ヒドロキシジフェニルエーテル（CAS番号：831-82-3）、ビス（2-ヒドロキシ-1-ナフチル）メタン（CAS番号：1096-84-0） 、4-（メチルスルホニル）フェノール（CAS 番号: 14763-60-1）、4-ヒドロキシフェニル-4'-イソプロポキシフェニルスルホン（CAS 番号: 95235-30-6）、4,4'-ジヒドロキシビフェニル（CAS番号：92-88-6）、4-ヒドロキシビフェニル（CAS番号: 92-69-3）、p-ヒドロキシクメン（CAS番号: 99-89-8）、2,4-ジヒドロキシベンゾフェノン（CAS番号: 131- 56-6）、ハイドロキノンモノメチルエーテル（MEHQ、CAS番号: 150-76-5）、3-n-ペンタデシルフェノール（CAS番号: 501-24-6）、4-（2-フェニルイソプロピル）フェノール（CAS番号：599-64-4）、5-クロロ-2-（2,4-ジクロロフェノキシ）フェノール（CAS番号: 3380-34-5）、N-（p-トルエンスルホニル）-N '-（3-（ p-トルエンスルホニルオキシ）フェニル）尿素（CAS番号：232938-43-1）、2,2-ビス（3,5-ジブロモ-4-ヒドロキシフェニル）プロパン（CAS番号：79-94-7）、4 4'-イソプロピリデンジフェノール（CAS番号: 80-05-7）及び4,4'-スルホニルジフェノール（BPS、CAS番号: 80-09-1）。
【００４４】
好ましくは、電子受容体化合物（Ｂ）は、２，２−ビス（４−ヒドロキシ−３−メチルフェニル）プロパン（ビスフェノールＣ、CAS番号：７９−９７−０）、４−ヘキシル−１3-ジヒドロキシベンゼン（4-ヘキシルレゾルシノール、CAS番号: 136-77-6）、4,4'-シクロヘキシリデンビスフェノール（BZP、CAS番号: 843-55-0）、4,4 '-（ヘキサフルオロイソプロピリデン）ジフェノール（ビスフェノール AF、CAS番号：1478-61-1）、4,4 '-（1-フェニルエチリデン）ビスフェノール（CAS番号：1571-75-1）、2,2'-ジヒドロキシビフェニル（CAS番号：1806-29 -7）、4,4 '-（1,4-フェニレンジイソプロピリデン）ビスフェノール（CAS番号: 2167-51-3）、1,1-ビス（4-ヒドロキシ-3-メチルフェニル）シクロヘキサン（CAS番号: 2362 -14-3）、9,9-ビス（4-ヒドロキシフェニル）フッ素（CAS番号: 3236-71-3）、4,4 '-（1,3-フェニレンジイソプロピリデン）ビスフェノール（CAS番号: 13595-25 -0）、1,1,1-トリス（4-ヒドロキシフェニル）エタン（CAS番号: 27955-94-8）、4,4 '-（2-エチルヘキシリデン）ジフェノール（CAS番号: 74462-02-5 ）、及びα、α、α'-トリス（4-ヒドロキシフェニル）-1-エチル-4-イソプロピルベンゼン（CAS番号: 110726-28-8）の中から選択される。
【００４５】
本発明の熱変色性顔料組成物は、本発明の式（I）の化合物（Ｃ）に化合物（Ａ）及び（Ｂ）を溶解し、次いで、ホモミキサー又は分散機のような攪拌機などの助けを借りて均一な混合物が得られるまでそれを攪拌することにより調製される。
【００４６】
従って、本発明の式（Ｉ）の化合物と関連する化合物（Ａ）及び（Ｂ）は、マイクロカプセルの形状で製剤化することができる。 従って、本発明の熱変色性顔料組成物は、マイクロカプセルに封入されて熱変色性顔料マイクロカプセルを形成する。 そのような熱変色性顔料マイクロカプセルは、本発明による別の技術的目的を構成する。 それらは、機械的制約に耐性があり、不溶性であり、したがって水に分散可能であり、凝集が遅いという点で有利な特性を示す。
【００４７】
本発明による熱変色性顔料マイクロカプセルの融解温度（又は脱色温度T4）は、20〜80℃、好ましくは30〜80℃、さらにより好ましくは40〜70℃で変化し得る。
【００４８】
本発明の熱変色性顔料マイクロカプセルの結晶化温度（又は再着色温度T1）は、-40〜20℃、好ましくは-30〜10℃、さらにより好ましくは-20〜0℃で変化し得る。
【００４９】
本発明の熱変色性顔料マイクロカプセルは、０．５〜３０μｍ、好ましくは１〜１０μｍ、更により好ましくは３〜５μｍの範囲の平均直径を示す。この平均直径は体積でD90に相当し、90％の体積が指定された間隔内のサイズのマイクロカプセルで構成されていることを意味する。この平均直径は、Malvern Instruments Zetasizer Nano ZSを使用した粒度分布レーザーによって決定できる。
【００５０】
使用されるマイクロカプセル化プロセスには、次のような従来の方法が含まれるが、これらに限定されない。
-コーティングマイクロカプセルのインサイツ形成に基づく化学プロセス、例えば重合または界面重縮合、これらのプロセスが好ましい。
-物理化学プロセス、例えば 相分離又はコアセルベーション、溶媒蒸発抽出、エマルジョンの熱誘起ゲル化（ホットメルト）、又は
-機械的プロセス、例えば 噴霧/乾燥（噴霧乾燥）、液滴のゲル化又は凝固、流動層コーティング（噴霧コーティング）。
【００５１】
本発明の熱変色性顔料マイクロカプセルは、有利にはアミノプラスト樹脂ベース、好ましくはメラミン樹脂、尿素樹脂又はベンゾグアナミン樹脂ベースで製造される。
【００５２】
本発明の熱変色性顔料マイクロカプセルは、好ましくはメラミン樹脂を用いた現場重合により調製される。
【００５３】
本発明の別の技術的目的は、本発明による熱変色性顔料マイクロカプセルを含むインク組成物に関する。
【００５４】
インク組成物内に存在する本発明の熱変色性顔料マイクロカプセルは、インク組成物の総重量の5〜50重量％に相当する。
【００５５】
さらに、本発明のインク組成物は主に水からなる。有利には、水はインク組成物の総重量の40〜80重量％を占める。
【００５６】
同様に、本発明のインク組成物は、１又はそれ以上の水混和性共溶媒を含んでもよい。 したがって、本発明のインク組成物は、有機又は水性溶媒、好ましくは水性溶媒を含むことができる。
【００５７】
本発明のインク組成物に添加することができる溶媒の中で、以下のような水および極性水混和性溶媒を挙げることができる。
【００５８】
-アルコール：C1-C15の直鎖又は分岐アルコール、例えば イソプロパノール、ブタノール、イソブタノール、ペンタノール、ベンジルアルコール; グリセリン; ジグリセリン; ポリグリセリン
-エステル、例えば酢酸エチル又は酢酸プロピル、
-炭酸エステル、例えば炭酸プロピレン又は炭酸エチレン、
-ケトン、例えば メチルイソブチルケトン（MIBK）、アセトン又はシクロヘキサノン、
-グリコール、例えば エチレングリコール、ジエチレングリコール、トリエチレングリコール、プロピレングリコール、ポリエチレングリコール、エチレングリコールモノメチルエーテル、3-ブチレングリコール及びチオジエチレングリコール、
-アミド、例えば ジメチルアセトアミド又はジメチルホルムアミド、及び
-それらの混合物。
【００５９】
１又はそれ以上の溶媒は、インク組成物の総重量の５〜２０重量％に相当する。
【００６０】
同様に、本発明のインク組成物は、最終的な意図される用途に応じて異なる役割を果たし得る1又はそれ以上の特定の補助剤を含んでもよい。これらの用途は、セリグラフィー、オフセット印刷、グラビア印刷、スプレーコーティング、静電コーティング、電着可能コーティング、ロールコーティング、インクジェット印刷によるインク印刷、及びボールペン、筆ペン、マーカー、色鉛筆などの筆記具用インクに関連する場合があってもよい。本発明のインク組成物は、熱可塑性又は熱硬化性樹脂組成物に添加されて、型を形成してもよい。
【００６１】
上記の補助剤の中で、以下を挙げることができる：
-ゲル化効果を生成できるレオロジー調整剤（せん断減粘剤）、例えばキサンタンガム又はアラビアゴム、
-消泡剤、例えば ポリシロキサン（SynthronのMOUSSEX(登録商標)）の変性水性分散液、
-pH調整剤、例えば水酸化ナトリウム、トリエタノールアミン、
-界面活性剤、例えば ポリエーテルポリオール（DOWのTERGITOL(商標)）、
-殺生物剤、例えば イソチアゾリノン（ThorのACTICIDE(登録商標)）、
-腐食防止剤、例えば ベンゾトリアゾール、
-潤滑剤、
-分散剤、
-凝集剤、
-架橋剤、
-湿潤剤、
-可塑剤、
-酸化防止剤、
-UV安定剤。
【００６２】
本発明の更なる技術的目的は、本発明によるインク組成物を含む筆記用具に関する。これらの器具は、一般に本発明のインク組成物を含む本体と、場合によっては摩擦要素で構成される。本発明による筆記用具は、有利にはボールペン、鉛筆、チョーク、更により有利には摩擦消去可能なインクを備えたボールペンの中から選択される。筆記具の摩擦要素は、好ましくは消しゴムである。
【００６３】
本発明のインク組成物を塗布できる媒体は、紙、繊維、皮革、プラスチック、ガラス、金属、木材およびコンクリートである。
【００６４】
上記の規定に加えて、本発明は、本発明による式（Ｉ）の化合物の使用、それらの特性決定、及び熱変色性顔料組成物における温度変化調整剤としてのそれらの使用に関する、以下の補足説明から生じる更なる規定を含む。
【実施例】
【００６５】
以下の式の化合物（1）及び（2）は、以下のプロトコルに従って調製される。
【００６６】
【化８】
0006986566.tif 000009
【００６７】
化合物（１）の合成：
10 gの1,10-デカンジオール（CAS番号：112-47-0）、52 gの3,3-ジフェニルプロピオン酸（CAS番号：606-83-7）、及び200 mgのp-トルエンスルホン酸(PTSA）一水和物（CAS番号： 6192-52-5）を混合し、減圧下（400 mbar）で6時間140℃に加熱する。
【００６８】
次に、反応媒体を150mlの酢酸エチルに溶かす。有機相を回収し、150 mlの水で3回洗浄する。次いで、有機相を硫酸ナトリウムで乾燥させ、溶媒を蒸発させる。
【００６９】
生成物は、イソプロパノールを使用して1回、エタノールを使用して1回再結晶される。得られた生成物の気相クロマトグラフィー（GPC）分析は、生成物が95％の純度であることを示す。
【００７０】
化合物（２）の合成：
10 gの1,10-デカンジオール（CAS番号: 112-47-0）、34.2 gの3-フェニルプロピオン酸（CAS番号: 501-52-0）、及び200 mgのp-トルエンスルホン酸（PTSA） 一水和物（CAS番号: 6192-52-5）を混合し、減圧下（400 mbar）で6時間160℃に加熱する。
【００７１】
次に、反応媒体を150mlの酢酸エチルに溶かす。有機相を回収し、150 mlの水で3回洗浄する。次いで、有機相を硫酸ナトリウムで乾燥させ、溶媒を蒸発させる。
【００７２】
生成物は、イソプロパノールを使用して1回、エタノールを使用して1回再結晶されます。 得られた生成物の気相クロマトグラフィー（GPC）分析は、生成物が95％の純度であることを示す。
【００７３】
得られた化合物（1）及び（2）の融解温度TFUSは、TA Instruments Q20デバイスで示差走査熱量測定（DSC）を使用して、温度範囲-50〜100℃で、冷却/加熱速度+/- 20℃/分で測定する。測定された温度は、以下の表1に示す。
【００７４】
【表１】
0006986566.tif 000010
【００７５】
熱変色性顔料組成物の調製：
熱変色性顔料組成物は、1.9重量部の3-（4-ジエチルアミノ-2-エトキシフェニル）-3-（1-エチル-2-メチルインドール-3-イル）-4-アザフタリド（化合物（A）、 CAS番号：69898-40-4）、2.1重量部の4,4 '-（ヘキサフルオロイソプロピリデン）ジフェノール（化合物（B1）CAS番号：1478-61-1）、2.1重量部の2,2- ビス（4-ヒドロキシ-3-メチルフェニル）プロパン（化合物（B2）、CAS番号：79-97-0）及び93.9重量部の本発明の式（I）の化合物（化合物（1））（化合物（C））を混合することで調整される：
【００７６】
【化９】
0006986566.tif 000011
【００７７】
得られた混合物を、化合物（A）、（B1）及び（B2）が化合物（C）に完全に溶解するまで、攪拌しながら110℃の温度で45分間加熱する。
【００７８】
熱変色性顔料組成物の調整
無水マレイン酸とメチルビニルエーテルとのコポリマーの水溶液7.7重量部（コポリマーの33重量％溶液）を、水酸化ナトリウム水溶液（1.0 M溶液）10.5重量部で中和する。この溶液を39.5重量部の水で希釈し、混合物をホモジナイザーで少なくとも15 m.s-1の速度で乳化する。前に調製した熱変色性顔料組成物25.3重量部を添加し、得られた乳濁液を90℃の温度で30分間保持する。次いで、メラミン-ホルムアルデヒドプレポリマー１７．０重量部（プレポリマーの５０重量％水溶液）を混合物に滴下する。次に、反応媒体を90℃の温度に加熱し、少なくとも15 m.s-1の速度で4時間混合する。
【００７９】
水性溶媒に分散した熱変色性顔料マイクロカプセルで構成されるスラリーが得られ、632 nmの照明とMalvern Zetasizer Nano ZSシステムを使用して測定したマイクロカプセルのD90直径は、3.8μｍである。  
【００８０】
得られた熱変色性顔料マイクロカプセルは、色ヒステリシス効果により、71℃を超えると青色から無色に変色する特性を持っている。
【００８１】
調製された熱変色性顔料マイクロカプセルの脱色及び再着色温度の決定：
得られた熱変色性顔料マイクロカプセルの転移温度は、TA Instruments Q20デバイスと共に示差走査熱量測定（ＤＳＣ）を使用して、温度範囲-50〜100℃、冷却/加熱速度+/-20℃/分で測定された。 測定された温度は、以下の表2に示す。
【００８２】
【表２】
0006986566.tif 000012
【００８３】
測定された転移温度は次のとおりである。
T1：完全な再着色温度、
T2：部分的な再着色温度、
T3：部分的な脱色温度、
T4：完全な脱色温度、
【００８４】
【数１】
0006986566.tif 000013
【００８５】
ΔH =ヒステリシス域= TG - TH
【図１】
0006986566.tif 000017